(57)【特許請求の範囲】
【請求項１】
ステーが架着された並行する１対のワイヤの基端部が張力導入機構を介して、また他端部が直接に、それぞれ緑化面に繋止されるもので、
該張力導入機構は引きバネと緊張装置を包含し、
該引きバネはコイル部を有し、該コイル部を挟んで一端に固定的係合部を、他端に可動的係合部を備え、
該緊張装置はボルト、締付ナット及び該緑化面に取り付けられた下部のワイヤ支持材を備え、
該ワイヤの該基端部の該緑化面に対する繋止が、該ワイヤを該引きバネに連結し、該引きバネの該固定的係合部と該可動的係合部を該ボルトに係合し、該ボルトを該ワイヤ支持材の水平面に穿ったばか孔に該ワイヤ側から緩通し、該水平面からの突出部に該締付ナットを螺合して構成される
ことを特徴とするワイヤ型の緑化用資材。
【請求項２】
ステーが架着された並行する１対のワイヤの基端部が張力導入機構を介して、また他端部が直接に、それぞれ緑化面に繋止されるもので、
該張力導入機構は押しバネと緊張装置を包含し、
該押しバネはコイル部を有し、該コイル部を挟んで一端に固定的係合部を、他端に可動的係合部を備え、該固定的係合部と該可動的係合部は、該コイル部の各端部から、該押しバネの側面視及び平面視で交差する状態で、突出た腕部の端部に位置し、
該緊張装置はボルト、締付ナット及び該緑化面に取り付けられた下部のワイヤ支持材を備え、
該ワイヤの該基端部の該緑化面に対する繋止が、該ワイヤを該押しバネに連結し、該押しバネの該固定的係合部と該可動的係合部を該ボルトに係合し、該ボルトを該ワイヤ支持材の水平面に穿ったばか孔に該ワイヤ側から緩通し、該水平面からの突出部に該締付ナットを螺合して構成される
ことを特徴とするワイヤ型の緑化用資材。
【請求項３】
ステーが架着された並行する１対のワイヤの基端部が張力導入機構を介して、また他端部が直接に、それぞれ緑化面に繋止されるもので、
該張力導入機構は巻付けバネ、カバー及び緊張装置を包含し、
該巻付けバネはコイル状で、
該カバーは側壁及び端壁で規制された収容部、該端壁に穿ったばか孔及び該ワイヤの取付部を有し、
該緊張装置はボルト及び締付ナットを備え、
該ワイヤの該基端部の該緑化面に対する繋止が、該ワイヤを該取付部に連結し、該ボルトに該巻付けバネを卷装して該カバーに装入し、該ばか孔から外部へ突出する部分を該緑化面に取り付けられた下部のワイヤ支持材の水平面に穿ったばか孔に該ワイヤ側から緩通し、該水平面からの突出部に該締付ナットを螺合して構成される
ことを特徴とするワイヤ型の緑化用資材。
【請求項４】
ステーが架着された並行する１対のワイヤの基端部が張力導入機構を介して、また他端部が直接に、それぞれ該緑化面に繋止されるもので、
該張力導入機構は板バネと緊張装置を包含し、
該板バネは一対の湾曲した板材を両板材間にバネ空間が形成されるように対設したもので、両端部に該ワイヤの挿通孔が穿たれ、該バネ空間部分に透孔が穿たれており、
該緊張装置はボルト、締付ナット及び該緑化面に取付けられた下部のワイヤ支持材を備え、
該バネ材の該挿通孔に該ワイヤを挿通し、該ボルトを該透孔に緩通して該ワイヤ支持材の水平面に穿ったばか孔に該ワイヤ側から緩通し、該水平面からの突出部に該締付ナットを螺合して構成される
ことを特徴とするワイヤ型の緑化用資材。
【請求項５】
該緑化面は立面で、該張力導入機構は該緑化面の下部に配設されている請求項１、２、３又は４に記載のワイヤ型の緑化用資材。
【請求項６】
該ステーは梯子状に配設された複数本となっている請求項１から５の何れか一つの項に記載のワイヤ型の緑化用資材。
【請求項７】
該ステーは、かしめ、楔、コイル、接着及び溶接の内の一つで該ワイヤに取付けられている請求項１から６の何れか一つの項に記載のワイヤ型の緑化用資材。
【請求項８】
該ステーはあみだくじ状配置の一部を構成するランダム配置となっている請求項１から７の何れか一つの項に記載のワイヤ型の緑化用資材。
【請求項９】
該ボルトには導入張力用の目印が設けられている請求項１から８の何れか一つの項に記載のワイヤ型緑化用資材。
【発明の詳細な説明】
【技術分野】
【０００１】
本発明はワイヤ型の緑化用資材に関し、緑化面にワイヤを張設し、植物をこのワイヤをガイドとして伸長させて緑化面を緑化するようにしたものである。
【背景技術】
【０００２】
建物の内側への採光が必要な壁面緑化、内側からの景観もある程度確保可能な壁面緑化、カーテンウォールなどの建物壁材への直接固定が不可能な場合の壁面緑化として、ワイヤや繊維ネットを植物の登攀補助資材として緑化を行うタイプの方法がある。この方法はワイヤや繊維ネットを設置し、蔓植物を登攀させる方法であるが、ワイヤロープを上下で固定する手法が多く、格子状であっても専用の交点金具や交点をアンカー止めなければならないなどの理由から、高価なものが多い。
【０００３】
また、ワイヤロープを用いて緑化する場合、設置したワイヤロープは時間の経過とともに温度等の影響により緩むことが多く、設置したワイヤロープが風等によりばたついたり、振動したりして、蔓植物の順調な生育を阻害する要因の一つとなっている。そのため、ワイヤロープに張力を導入して風圧等による動揺を防ぎ、蔓性植物の蔓がワイヤから外れないようにする必要があるが、この作業もかなり厄介である。  
【先行技術文献】
【特許文献】
【０００４】
特許文献１（特開２００６−３６号公報）では、壁面緑化に使用するワイヤへの張力の導入に第１金物と第２金物を使用することが述べられている。第１金物(10)の構造については段落「００１９」で説明され、設置位置については「図２」にALCパネル(4)の上端部が示されている。また、第２金物(11) の構造については段落「００２１」で説明され、設置位置については「図２」にALCパネル(4)の下端部が示されている。
【０００５】
ワイヤ６ｂに対する張力の導入については段落「００２２」の５行目以下に、「…ワイヤ６ｂの他端(下端)側を下方のアングル部材に取り付けられている第２金物に順次、保持されていく。手繰り寄せを続け、ワイヤ６ｂに弾力を感じるようになったら、張力クッションばね１９が中程度に圧縮されたところで停止する。」とあり、人力でワイヤを引っ張っているのがわかる。
【０００６】
【特許文献１】特開２００６−３６号公報
【発明の概要】
【発明が解決しようとする課題】
【０００７】
一般に一本ずつのワイヤロープを上下で固定する方法は、蔓性植物の登攀が遅く、かつ植物がずれ落ちやすい。また、格子状のものは特許文献１に記載の専用の交点金具や交点アンカー留めをしなければならないので、現場での作業効率が悪く、高価なものが多い。    
さらに、ずれ落ち防止効果をより高めるためには、同時に風圧等によるワイヤの動揺も防ぎ、総じて蔓性植物の蔓がワイヤから外れないようにする必要がある。
ワイヤロープの緩みに起因するばたつきや振動を防止する発明として、特許文献１に記載の張力導入機構が設けられている。しかし、張力導入の目安となる標識３６がワイヤ６ｂに設けられてはいるが、小さい上、位置が壁面の上端部なので見落としたり、判別できなかったりする恐れがある。ワイヤは人力により引っ張られるので、引っ張る強さに個人差があり、強く引っ張りすぎると第１金物がアングルから脱落したり、アングル自体が壁面から剥ぎ取られる恐れがある。
【課題を解決するための手段】
【０００８】
(請求項１)  本発明にかかるワイヤ型の緑化用資材（以下「ワイヤ型の緑化用資材」を「緑化用資材」と略称する。）の第１の形態は、ステーが架着された並行する１対のワイヤの基端部が張力導入機構を介して、また他端部が直接に、それぞれ緑化面に繋止される基本的な構成を備えたものである。該張力導入機構は引きバネと緊張装置を包含する。該引きバネはコイル部を有し、該コイル部を挟んで一端に固定的係合部を、他端に可動的係合部を備える。該緊張装置はボルト、締付ナット及び該緑化面に取り付けられた下部のワイヤ支持材を備える。そして、該ワイヤの該基端部の該緑化面に対する繋止が、該ワイヤを該引きバネに連結し、該引きバネの該固定的係合部と該可動的係合部を該ボルトに係合し、該ボルトを該ワイヤ支持材の水平面に穿ったばか孔に該ワイヤ側から緩通し、該水平面からの突出部に該締付ナットを螺合して構成される。
【０００９】
この緑化用資材は、緑化面、例えば建造物の壁、塀、法面を覆ってこの緑化面に取り付けられる。緑化面は、一般的にはこのような立面となるが、横這い形式の植物の場合は、水平面となる場合もある。この取付けは緑化面にボルト・ナットを用いて直接になすか、又は一対のワイヤ支持材を緑化面の両端部に並設し、両ワイヤ支持材間にワイヤを張設する。勿論これらの方法以外の取付方法も採用できる。この緑化用資材は、ステーにより一対のワイヤが一定の間隔を保って並行しているので、緑化面に対する敷設が容易で、ステーに蔓等が絡むことにより植物は伸長を容易に行える。
【００１０】
プランターに蔓性植物が植栽されている場合は、このプランターを緑化面の一端側に配置し、あるいは緑化面の一端側の地面に直接植栽して、植物をワイヤ型の緑化用資材に絡ませながら生育させる。蔓性植物は生育の初期にはワイヤに蔓を絡ませながら生育していく。    
【００１１】
蔓性植物が緑化用資材のステーの架着された場所に到達すると、一部の蔓はこのステーに絡むようになり、主たる蔓は更にワイヤに絡みながら生育してゆくので、植物は登攀が容易に行える。しかもこの緑化用資材はワイヤを用いているのでその長さを自由に設定でき、単一の資材で広範囲の緑化面を被覆できるので、作業性を高められる。
【００１２】
一般に一本ずつのワイヤロープを上下で固定する方法は、蔓性植物の登攀が遅く、かつ植物がずれ落ちやすい。また、格子状のものは特許文献１に記載の専用の交点金具や交点アンカー留めをしなければならないので、現場での作業効率が悪く、高価なものが多い。本発明によれば、並行する一対のワイヤと該ワイヤ間に架着されたステーを予め工場で製造でき、ロール状にして運搬でき、緑化面の長さに併せ該ワイヤを切断して使用することができ、現場での作業が容易となる。
【００１３】
(請求項２) 本発明にかかる第２の形態の緑化用資材は、第１の形態の基本的な構成を備えているので、この説明は省略する。
該張力導入機構は押しバネと緊張装置を包含している。
該押しバネはコイル部を有し、該コイル部を挟んで一端に固定的係合部を、他端に可動的係合部を備え、該固定的係合部と該可動的係合部は、該コイル部の各端部から、該押しバネの側面視及び平面視で交差する状態で、突出た腕部の端部に位置している。
該緊張装置はボルト、締付ナット及び該緑化面に取り付けられた下部のワイヤ支持材を備えている。
該ワイヤの該基端部の該緑化面に対する繋止が、該ワイヤを該押しバネに連結し、該押しバネの該固定的係合部と該可動的係合部を該ボルトに係合し、該ボルトを該ワイヤ支持材の水平面に穿ったばか孔に該ワイヤ側から緩通し、該水平面からの突出部に該締付ナットを螺合して構成される。
【００１４】
（請求項３）本発明にかかる第３の形態の緑化用資材も、第１の形態の基本的な構成を備えているので、その説明は省略する。該張力導入機構は巻付けバネ、カバー及び緊張装置を包含している。
該巻付けバネはコイル状で、該カバーは側壁及び端壁で規制された収容部、該端壁に穿ったばか孔及び該ワイヤの取付部を有している。
該緊張装置はボルト及び締付ナット を備えている。そして、該ワイヤの該基端部の該緑化面に対する繋止が、該ワイヤを該取付部に連結し、該ボルトに該巻付けバネを卷装して該カバーに装入し、該ばか孔から外部へ突出する部分を該緑化面に取り付けられた下部のワイヤ支持材の水平面に穿ったばか孔に該ワイヤ側から緩通し、該水平面からの突出部に該締付ナットを螺合して構成される。
【００１５】
（請求項４）本発明にかかる第４の形態の緑化用資材も、第１の形態の基本的な構成を備えているので、その説明は省略する。該張力導入機構は板バネと緊張装置を包含している。
該板バネは一対の湾曲した板材を両板材間にバネ空間が形成されるように対設したもので、両端部に該ワイヤの挿通孔が穿たれ、該バネ空間部分に透孔が穿たれている。
該緊張装置はボルト、締付ナット及び該緑化面に取付けられた下部のワイヤ支持材を備えている。そして、該バネ材の該挿通孔に該ワイヤを挿通し、該ボルトを該透孔に緩通して該ワイヤ支持材の水平面に穿ったばか孔に該ワイヤ側から緩通し、該水平面からの突出部に該締付ナットを螺合して構成される。
【００１６】
（請求項５）該緑化面は立面で、該張力導入機構は該緑化面の下部に配設されていてもよい。
【００１７】
（請求項６）該ステーは梯子状に配設された複数本となっていてもよい。
【００１８】
（請求項７）該ステーは、かしめ、楔、コイル、接着及び溶接の内の一つで該ワイヤに取付けられていてもよい。
【００１９】
（請求項８）該ステーはあみだくじ状配置の一部を構成するランダム配置となっていてもよい。
【００２０】
（請求項９）該ボルトには導入張力用の目印が設けられていてもよい。
【発明の効果】
【００２１】
本発明に係る緑化用資材によれば、並行する一対のワイヤと該ワイヤ間にステーを架着する作業を予め工場で行え、運搬もロール状にして行うことができ、かつ該ワイヤを緑化面の長さに併せ切断して使用することができるので作業性を高められ、蔓性植物がステーの架着された場所に到達すると、一部の蔓はこのステーに絡むようになり、主たる蔓は更にワイヤに絡みながら生育してゆくので、植物は登攀が容易に行え、一本のワイヤロープの場合のようにツル性植物の登攀が遅く、かつ植物がずれ落ちやすい欠点を解消できる。
【図面の簡単な説明】
【００２２】
【図１】本発明にかかる緑化用資材の具体例を、立設した使用状態で示す正面図である。
【図２】同右側面図である。
【図３】緑化用資材の緑化面に対する繋止構造の上部における具体例を示す側面図である。
【図４】張力導入機構の具体例を示す側面図である。
【図５】同正面図である。
【図６】張力導入機構の作動状態の具体例を示す側面図である。
【図７】張力導入機構の別の具体例を示す側面図である。
【図８】同バネ材の平面図である。
【図９】張力導入機構の更に別の具体例を示す側面図で、筒体を採用した場合である。
【図１０】張力導入機構の更に別の具体例を示す側面図で、枠体を採用した場合である。
【図１１】図１０の枠体の部分の平面図である。
【図１２】枠体の斜面図である。
【図１３】張力導入機構の更に別の具体例を示す側面図で、板バネを採用した場合である。
【図１４】板材の平面図である。
【発明を実施するための形態】
【００２３】
以下に、本発明の実施の形態を、図面による立設状態を参照して、説明する。緑化面Ｐは建造物の壁面のように立面の場合が一般的であるが、のり面のような傾斜面の場合や、建造物の屋上緑化のように水平面の場合もある。本発明はこれらの緑化面の場合にも適用可能である。
【００２４】
（請求項１）図１〜図３は本発明にかかる緑化用資材１の具体例を使用状態で示している。この緑化用資材１は、並行する１対のワイヤ２、２と、これらのワイヤ２、２間に架着されたステー３で構成されている。図１では、このように構成された緑化用資材１を四つ集合したものを一つの単位とし、四つの単位１ａ〜１ｄを水平方向に並列して上部と下部のワイヤ支持材Ｋと１２の間に張設し、緑化面Ｐを覆うようにした場合を示している。
【００２５】
各ステー３は単位１ａ〜１ｄごとに異なった配列のものを示したが、これはあくまで参考のためで、同様の配列のものに統一し、あるいは異なった配列のものを組み合わせる等、その選択は自由である。
【００２６】
図１の例における緑化用資材１やステー３の配列は次のとおりである。
単位１ａでは、四つの緑化用資材１を水平方向に一纏めとし、各緑化用資材１のステー３を延長して一体化したものである。
【００２７】
この場合、隣り合う緑化用資材１、１間にもステー３が架着されることになる。緑化用資材１を単位１ａに構成するのが容易なので、単位１ａとすることにより緑化面Ｐに対する作業性を高められる。植物Ｓの蔓が隣り合う緑化用資材１、１間のステー３にも巻きつくので、登攀が容易となる。横方向へ過度に伸長したら、伸長部分を切除すればよい。
【００２８】
その右隣に位置する単位１ｂは、６本のステー３が上下方向に等間隔に配置された緑化用資材１の４セットが、水平方向に間隔を保って並設されたものである。
【００２９】
この場合、隣り合う緑化用資材１、１間にステー３は存在しないので、植物Ｓがステー３を伝って一つの緑化用資材１から隣の緑化用資材１方向へ伸長するのを防げる。また、隣り合う緑化用資材１、１間の間隔を自由に設定できるので、緑化面Ｐに適合した緑化用資材１の配置が可能となる。１例を挙げれば、緑化面が溝型鋼状の鋼板を水平方向に並設して構成されたものの場合、採用された鋼板の幅に変動があっても、隣り合う緑化用資材１、１同士の間隔の調整で容易に対応できる。
【００３０】
更に右隣りの単位１ｃは、単位１ａの場合と同様に、隣り合う緑化用資材１、１間にも３本のステー３を架着したもので、ステー３の上下方向における位置が緑化用資材１と緑化用資材１、１間とで、半ピッチずれたものである。
【００３１】
この場合、植物Ｓはワイヤ２に蔓を巻きつけながら伸長し、ステー３のあるところに来ると蔓の一部をこのステー３に絡みつかせ、更にステー３に沿って伸長してゆく。緑化用資材１を単位１ｃに構成するのが容易なので、単位１ｃとすることにより緑化面Ｐに対する作業性を高められる。植物Ｓの蔓がステー３に絡みついて伸長しても、このステー３は隣り合う緑化用資材１のワイヤ２で終わっているので、植物Ｓの横方向への伸長もステー３と共に終り、ワイヤ２に沿って方向変換する。
【００３２】
右端の単位１ｄは自身のワイヤ２、２間と、隣り合う緑化用資材１、１の相対するワイヤ２、２間の全てに、ステー３がランダムに配列されたものである。このランダム配置には、ステー３の水平配置や、斜め配置等も含まれる。
【００３３】
この場合、緑化用資材１を単位１ｄに構成するのが比較的に容易なので、単位１ｄとすることにより緑化面Ｐに対する作業性を高められる。また、植物Ｓの蔓がステー３に絡みついて伸長しても、このステー３は隣り合う緑化用資材１のワイヤ２で終わっているので、植物Ｓの横方向への伸長もステー３と共に終り、ワイヤ２に沿って方向変換する。しかも、植物Ｓの伸長方向がランダムになるので、緑化面Ｐの緑化に変化を与えることが可能となる。
【００３４】
緑化用資材１の設置が終わったら、植物Ｓを下部のアングル１２の近傍に植栽する。植物ＳがプランターＢに植栽されている場合は、このプランターＢをアングル１２の近傍で地上に設置する。プランターＢを使用しない場合は、植物Ｓをアングル１２の近傍で地中に直接植栽する。植物Ｓは蔓をワイヤ２、２に絡ませながら生育してゆく。
【００３５】
植物Ｓが生育して蔓の先端部が緑化用資材１のステー３の架着された場所に到達すると、一部の蔓はこのステー３に絡むようになり、主たる蔓は更にワイヤ２に絡みながら生育してゆくので、植物Ｓは風圧等を受けても緑化用資材１から外れることがなく、登攀が容易に行える。
この緑化用資材１は工場生産が可能で、運搬もロール状にして行うことができ、ワイヤ２を用いているのでその長さを緑化面の長さに併せ切断して使用することができ、単一の緑化用資材１で広範囲の緑化面Ｐを被覆できるので作業性を高められる。
【００３６】
（請求項２）ここに示す形態の概略構成は、図１〜図３に示された緑化用資材１の構成、即ち、並行する１対のワイヤ２、２と、これらのワイヤ２、２間に架着されたステー３を備えたものに共通するので、その説明は省略する。
異なる点は、図７及び図８に示した張力導入機構４にあり、この張力導入機構４は押しバネ５２と緊張装置６を包含したものとなっている。
押しバネ５２はコイル部７２を有し、このコイル部７２を挟んで一端に固定的係合部８２を、他端に可動的係合部９２を備え、この固定的係合部８２と可動的係合部９２は、コイル部７２の各端部から、押しバネ５２の側面視及び平面視で交差する状態で、突出た腕部１６、１７の端部に位置している。
緊張装置６はボルト１０、締付ナット１１及び緑化面Ｐに取り付けられた下部のワイヤ支持材１２を備えている。
このワイヤ２の基端部２ａの緑化面Ｐに対する繋止が、このワイヤ２を押しバネ５２に連結し、この押しバネ５２の固定的係合部８２と可動的係合部９２をボルト１０に係合し、ボルト１０をワイヤ支持材１２の水平面１３に穿ったばか孔１４にワイヤ２側から緩通し、水平面１３からの突出部１５に締付ナット１１を螺合して構成される。
【００３７】
（請求項３）ここに示す形態の概略構成は、図１〜図３に示された緑化用資材１の構成、即ち、並行する１対のワイヤ２、２と、これらのワイヤ２、２間に架着されたステー３を備えたものに共通するので、その説明は省略する。異なる点は、図９〜図１２に示した張力導入機構４にあり、この張力導入機構４は巻付けバネ５３、カバー１８及び緊張装置６を包含したものとなっている。
この巻付けバネ５３はコイル状である。
カバー１８は側壁１９及び端壁２０で規制された収容部２１、この端壁２０に穿ったばか孔２２及びワイヤ２の取付部２３を有している。
緊張装置６はボルト１０及び締付ナット１１ を備えている。
ワイヤ２の基端部２ａの緑化面Ｐに対する繋止が、このワイヤ２を取付部２３に連結し、ボルト１０に巻付けバネ５３を卷装してカバー１８に装入し、ばか孔２２から外部へ突出する部分を緑化面Ｐに取り付けられた下部のワイヤ支持材１２の水平面１３に穿ったばか孔１４にワイヤ２側から緩通し、水平面１３からの突出部１５に締付ナット１１を螺合して構成される。
【００３８】
（請求項４）ここに示す形態の概略構成は、図１〜図３に示された緑化用資材１の構成、即ち、並行する１対のワイヤ２、２と、これらのワイヤ２、２間に架着されたステー３を備えたものに共通するので、その説明は省略する。
異なる点は、図１３〜図１４に示した張力導入機構４にあり、この張力導入機構４は板バネ５４と緊張装置６を包含している。
この板バネ５４は一対の湾曲した板材２４、２５を両板材間にバネ空間２６が形成されるように対設したもので、両端部にワイヤ２の挿通孔２７、２８が穿たれ、このバネ空間２６部分に透孔２９、３０が穿たれている。
緊張装置６はボルト１０、締付ナット１１及び緑化面Ｐに取付けられた下部のワイヤ支持材１２を備えている。そして、バネ材５の挿通孔２７、２８にワイヤ２を挿通し、ボルト１０を各透孔２９、３０に緩通してワイヤ支持材１２の水平面１３に穿ったばか孔１４にワイヤ２側から緩通し、水平面１３からの突出部１５に締付ナット１１を螺合して構成される。
【００３９】
（請求項５）緑化面Ｐは立面で、張力導入機構４はこの緑化面Ｐの下部Ｐ’に配設されている。
この場合、ワイヤ２に対する張力の導入状況を間近で目視でき、張力の過不足を解消できる。
【００４０】
（請求項６）ステー３は梯子状に配設された複数本となっている。
この場合、緑化面Ｐが広範で長尺の緑化用資材１を必要とする場合でも、ワイヤ２にはその長さ方向に複数段のステー３が用意されるので、植物Ｓはワイヤ２やステー３に蔓を絡めながら登攀してゆくことができ、登攀が容易かつ確実となる。
【００４１】
（請求項７）ステー３は、かしめ、楔、コイル、接着及び溶接の内の一つでワイヤ２に取付けられている。
この場合、何れの作業も工場で行えるので、ワイヤ２の架着が確実となる。
【００４２】
（請求項８）ステー３はあみだくじ状配置の一部を構成するランダム配置となっている。
この場合、隣り合うステー３は一本の水平線上にないので、植物Ｓは１本のステー３の終端で横方向への伸長が阻止されて上方へ方向転換し、緑化面Ｐの速やかな緑化が遂行される。
【００４３】
（請求項９）ボルト１０には導入張力用の目印３１が設けられている。
この場合、締付ナット１１の締込み状況を至近の位置にある目印３１で確認することにより、一定の張力を確実にワイヤ２に導入することができる。
【００４４】
なお、図面で、Ｈはボルト頭、Ｊ及びＪ’は位置決め用のナット、Ｋは上部のワイヤ支持材、Ｌは上部のワイヤ支持材Ｋ及び下部のワイヤ支持材１２の取付用ネジ、Ｍはワイヤ止、Ｎは補強部材である。
【符号の説明】
【００４５】
１        緑化用資材
１ａ〜１ｄ  単位
２        ワイヤ
２ａ      基端部
２ｂ      他端部
３        ステー
Ｐ        緑化面
Ｐ’      下部
Ｓ        植物
Ｂ        プランター
Ｋ        ワイヤ支持材
Ｌ        取付ネジ
４        張力導入機構
５１      引きバネ
５２      押しバネ
５３      巻付けバネ
５４      板バネ
６        緊張装置
７１、７２  コイル部
８１、８２  固定的係合部
９１、９２  可動的係合部
１０      ボルト
Ｈ        ボルト頭
Ｊ、Ｊ’  ナット
１１      締付ナット
１２      ワイヤ支持材
１３      水平面
１４      ばか孔
１５      突出部
１６、１７  腕部
１８      カバー
１９      側壁
２０      端壁
２１      収容部
２２      ばか孔
２３      取付部
２４、２５  板材
２６      バネ空間
２７、２８  挿通孔
２９、３０  透孔
３１      目印      
【図１】
0005830261.tif 000002
【図２】
0005830261.tif 000003
【図３】
0005830261.tif 000004
【図４】
0005830261.tif 000005
【図５】
0005830261.tif 000006
【図６】
0005830261.tif 000007
【図７】
0005830261.tif 000008
【図８】
0005830261.tif 000009
【図９】
0005830261.tif 000010
【図１０】
0005830261.tif 000011
【図１１】
0005830261.tif 000012
【図１２】
0005830261.tif 000013
【図１３】
0005830261.tif 000014
【図１４】
0005830261.tif 000015